(57)【特許請求の範囲】
【請求項１】
アウター固定体に円周状のインナー摺動面で囲まれたインナー回転室を設け、このインナー回転室内にコルゲートチューブを保持するインナー回転体を収容し、このインナー回転体の外周摺動面が前記アウター固定体の前記インナー摺動面を摺動することによって前記コルゲートチューブを回転させるようにしたコルゲートチューブ用回転保持具において、
前記インナー回転体は、外周に円弧面を有する複数の回転分割部材からなり、この複数の回転分割部材の互いの突き合わせ面を突き合わせて組み付けられ、この組み付けられた前記複数の回転分割部材の各円弧面により前記外周摺動面が形成され、前記各回転分割部材の前記円弧面の端部が該円弧面の回転軌跡より内側に退出するカット面にて形成されていることを特徴とするコルゲートチューブ用回転保持具。
【請求項２】
請求項１記載のコルゲートチューブ用回転保持具であって、前記カット面は、前記突き合わせ面の直交方向にカットされたフラット面であることを特徴とするコルゲートチューブ用回転保持具。
【請求項３】
請求項１記載のコルゲートチューブ用回転保持具であって、前記インナー回転体は、同一形状の２つの回転分割部材からなることを特徴とするコルゲートチューブ用回転保持具。
【発明の詳細な説明】
【０００１】
【発明の属する技術分野】
本発明は、例えば、ワイヤハーネスを収容したコルゲートチューブを回転自在に保持するコルゲートチューブ用回転保持具に関する。
【０００２】
【従来の技術】
この種の従来のコルゲートチューブ用回転保持具として、図９〜図１３に示すものがある。このコルゲートチューブ用回転保持具１は、図９〜図１０に示すように、アウター固定体２と、このアウター固定体２内に回転自在に収容されたインナー回転体３とからなり、このインナー回転体３の内部にワイヤハーネスＷが収容されたコルゲートチューブ４が保持されている。
【０００３】
図９〜図１１に示すように、アウター固定体２は、ベース部材５と、このベース部材５にロックされるカバー６とからなり、これらベース部材５とカバー６との内部に円周状のインナー摺動面７で囲まれたインナー回転室８が形成されている。
【０００４】
また、図９，図１２に示すように、インナー回転体３は、外周に円弧面９ａを有する半円筒状の２つの回転分割部材９，９からなり、この各回転分割部材９の互いの突き合わせ面９ｂを突き合わせて組み付けられるようになっている。この組み付けられた２つの回転分割部材９，９の各円弧面９ａにより円周状の外周摺動面１０が形成されており、インナー回転体３はその外周摺動面１０がアウター固定体２のインナー摺動面７を摺動することによってアウター固定体２の内部で回転されるようになっている。このようにインナー回転体３が回転されることによってコルゲートチューブ４がコルゲートチューブ用回転保持具１に回転自在に保持される。
【０００５】
【発明が解決しようとする課題】
しかしながら、前記従来のコルゲートチューブ用回転保持具１のインナー回転体３は、コルゲートチューブ４を挾持等して保持するために、２つの回転分割部材９，９からなり、これら２つの回転分割部材９，９を組み付けることによって構成されている。従って、図１３に示すように、コルゲートチューブ４からの外力の作用や２つの回転部材部材９，９間の各ロック手段１１のガタ等の理由により、２つの回転分割部材９，９間の各突き合わせ面９ｂが位置ずれした状態となるおそれがある。このように各突き合わせ面９ｂに位置ずれが発生すると、２つの回転分割部材９，９の各円弧面９ａの連結ポイントが一致せずにその部分に段差部１２が発生し、且つ、２つの回転分割部材９の円弧面９ａにより形成される外周摺動面１０の直径が段差量ｄ２の分だけ実質的に増加したのと同様の事態が発生するため、インナー回転体３のスムーズな回転が阻害されるという問題がある。
【０００６】
そこで、本発明は、前記した課題を解決すべくなされたものであり、複数の回転分割部材間の各突き合わせ面に位置ずれが発生してもインナー回転体をスムーズに回転させることができるコルゲートチューブ用回転保持具を提供することを目的とする。
【０００７】
【課題を解決するための手段】
請求項１の発明は、アウター固定体に円周状のインナー摺動面で囲まれたインナー回転室を設け、このインナー回転室内にコルゲートチューブを保持するインナー回転体を収容し、このインナー回転体の外周摺動面が前記アウター固定体の前記インナー摺動面を摺動することによって前記コルゲートチューブを回転させるようにしたコルゲートチューブ用回転保持具において、前記インナー回転体は、外周に円弧面を有する複数の回転分割部材からなり、この複数の回転分割部材の互いの突き合わせ面を突き合わせて組み付けられ、この組み付けられた前記複数の回転分割部材の各円弧面により前記外周摺動面が形成され、前記各回転分割部材の前記円弧面の端部が円弧面の回転軌跡より内側に退出するカット面にて形成されていることを特徴とする。
【０００８】
このコルゲートチューブ用回転保持具では、コルゲートチューブからの外力の作用や複数の回転分割部材間の各ロック手段のガタ等の理由により複数の回転分割部材間の各突き合わせ面に位置ずれが発生しても、各回転分割部材の円弧面の端部にカット面がそれぞれ形成されていることから各回転分割部材の突き合わせ面の部分にできる段差が外周摺動面の円周軌跡上より外に突出せず、また、各回転分割部材の円弧面により形成される外周摺動面の直径の実質的な増加分が微小に抑えられる。
【０００９】
請求項２の発明は、請求項１記載のコルゲートチューブ用回転保持具であって、前記カット面は、前記突き合わせ面の直交方向にカットされたフラット面であることを特徴とする。
【００１０】
このコルゲートチューブ用回転保持具では、請求項１の発明の作用に加え、各回転分割部材の突き合わせ面の位置で最もカット量が大きくなり、各回転分割部材の突き合わせ面の大きな位置ずれに対応可能となる。
【００１１】
請求項３の発明は、請求項１記載のコルゲートチューブ用回転保持具であって、前記インナー回転体は、同一形状の２つの回転分割部材からなることを特徴とする。
【００１２】
このコルゲートチューブ用回転保持具では、請求項１の発明の作用に加え、１種類の回転分割部材を製造することでインナー回転体が簡単に組み付けられる。
【００１３】
【発明の実施の形態】
以下、本発明の一実施形態を図面に基づいて説明する。
【００１４】
図１〜図８は本発明の一実施形態を示し、図１はコルゲートチューブ用回転保持具の分解斜視図、図２は同回転保持具の要部の断面図、図３は同回転保持具に用いられるアウター固定体の分解断面図、図４は同回転保持部に用いられるインナー回転体の分解正面図、図５は同インナー回転体の分解側面図、図６は同インナー回転体を構成する回転分割部材の平面図、図７は同インナー回転体の概略正面図、図８は同回転分割部材間の各突き合わせ面が位置ずれした状態を示す概略拡大部分正面図である。
【００１５】
図１〜図６に示すように、コルゲートチューブ用回転保持具２０は、アウター固定体２１と、このアウター固定体２１内に回転自在に収容されたインナー回転体２２とからなり、このインナー回転体２２の内部にワイヤハーネスＷが収容されたゴム製等のコルゲートチューブ２３が保持されるようになっている。
【００１６】
図１〜図３に示すように、アウター固定体２１は、合成樹脂製のベース部材２４と合成樹脂製のカバー２５とからなり、これらベース部材２４とカバー２５とが組み付けられることによりアウター固定体２１が構成される。そして、ベース部材２４は後述するインナー回転室２７の下半分を形成する下側収容ケース部２８を有し、この下側収容ケース部２８の上端面が突き合わせ面２８ａとされている。また、カバー２５は後述するインナー回転室２７の上半分を形成する上側収容ケース部３０を有し、この上側収容ケース部３０の内側下端面が突き合わせ面３０ａとされている。これらベース部材２４とカバー２５とは、互いの突き合わせ面２８ａ，３０ａが突き合わされた状態で組み付けられるようになっており、下側収容ケース部２８と上側収容ケース部３０との内部に円周状のインナー摺動面２６で囲まれたインナー回転室２７が形成される。また、カバー２５には、コルゲートチューブ２３が延在する方向に突出する２個のガイド３２，３２が形成されている。
【００１７】
また、図１，図３に示すように、下側収容ケース部２８の両側面の適所にはロック手段としての枠状の被ロック部２９が、上側ケース収容部３０の両側面の適所にはロック手段としてのロックアーム部３１がそれぞれ設けられており、ロックアーム部３１が被ロック部２９にロックされることによりベース部材２４とカバー２５とが組み付けられて固定されるようになっている。
【００１８】
図１及び図４〜図６に示すように、インナー回転体２２は、外周に円弧面３３ａを有する２つの回転分割部材３３，３３からなり、この２つの回転分割部材３３，３３の互いの突き合わせ面３３ｂを突き合わせて組み付けられるようになっている。そして、この組み付けられた２つの回転分割部材３３，３３の各円弧面３３ａにより略円周状の外周摺動面３５が形成されており、この外周摺動面３５は３箇所に設けられている。各回転部材部材３３の円弧面３３ａの端部は、図４に示すように、各回転分割部材３３の円弧面３３ａの回転軌跡ｂより内側に退出するカット面３６とされており、このカット面３６は、突き合わせ面３３ｂの直交方向にカットされたフラット面として形成されている。従って、外周摺動面３５は、各回転分割部材３３の境界部分以外が円周状で、各回転分割部材３３の境界部分がフラット状（平坦状）に形成されている。
【００１９】
また、各回転分割部材３３には、突き合わせ面３３ｂに開口するＵ字溝３７ａが形成されており、各回転分割部材３３の組み付け状態で該各回転分割部材３３のＵ字溝３７ａによりハーネス収容口３７が形成されるようになっている。そして、このハーネス収容口３７より内側のチューブ収容室３７ｂ内にワイヤハーネスＷが収容されたコルゲートチューブ２３が挾持状態で保持されるようになっている。
【００２０】
さらに、図６に示すように、各回転分割部材３３の左右の突き合わせ面３３ｂには、一対の位置決め突起３９，３９が互い違いに一体突出形成されると共に、各位置決め突起３９が挿入される一対の位置決め溝４０，４０が互い違いに形成されている。また、各回転分割部材３３の左右の外壁の一方側にはロック手段としてのロックアーム部４１が突設され、その他方側にはロックアーム部４１が係止されるロック手段としての被ロック部４２が設けられている。
【００２１】
そして、一対の回転分割部材３３，３３の組み付け時には、互いの位置決め突起３９を位置決め溝４０に挿入することにより互いの突き合わせ面３３ｂ同士を容易に、且つ、適正に突き合わせて組み付けることができるようになっている。また、一対の回転分割部材３３，３３の各突き合わせ面３３ｂを突き合わせた状態で、各回転分割部材３３の互いのロックアーム部４１が被ロック部４２にロックされることにより組み付け状態が固定されるようになっている。
【００２２】
尚、図１に示すように、インナー回転体２２の各回転分割部材３３の一端側の円弧状の鍔部３３ｃは、インナー回転室２７の一端側に突設した円弧状で一対の鍔部２７ｃ，２７ｃ間に収容されるようになっている。また、各回転分割部材３３の中央より突出した突起３３ｄがインナー摺動面２６の上下部に突出した突起部２６ｄに当たることにより１８０度の範囲でインナー回転体２２が回転するようになっている。さらに、断面楕円形（平型）のコルゲートチューブ２３の各凹部２３ａが各回転分割部材３３のチューブ収容室３７ｂに突出した複数の突起部３７ｃにそれぞれ係止されて一端側の突起部３７ｃより外側に露出するようになっている。
【００２３】
上記構成において、ワイヤハーネスＷ等よりコルゲートチューブ２３に回転力が作用すると、この回転力を受けたインナー回転体２２はその外周摺動面３５がアウター固定体２１のインナー摺動面２６を摺動することによってアウター固定体２１の内部で回転される。このようにインナー回転体２２が回転されることによってコルゲートチューブ２３が回転自在に保持される。
【００２４】
ところで、コルゲートチューブ２３からの外力の作用や一対の回転分割部材３３，３３間のロックアーム部４１及び被ロック部４２のガタ等の理由により、図８に示すように、一対の回転分割部材３３，３３間の各突き合わせ面３３ｂに位置ずれが発生する場合がある。しかし、各回転分割部材３３の円弧面３３ａの端部にカット面３６が形成されていることにより、各回転分割部材３３の突き合わせ面３３ｂの部分にできる段差部４３（段差量ｄ２）が外周摺動面３５の回転軌跡ｂ上より外に突出せず、また、各回転分割部材３３の円弧面３３ａにより形成される外周摺動面３５の直径の実質的な増加分ｄ１（＜段差量ｄ２）が微小に抑えられる。従って、一対の回転分割部材３３，３３間の各突き合わせ面３３ｂに位置ずれが発生してもインナー回転体２２を常によりスムーズに回転させることができる。
【００２５】
即ち、従来例の場合には、一対の回転分割部材９，９間の各突き合わせ面９ｂに位置ずれが発生すると、その位置ずれ量が段差量ｄ２となって現れ、また、外周摺動面１０の直径の実質増加分となって現れたが、本実施形態の場合には、一対の回転分割部材３３，３３間の各突き合わせ面３３ｂに位置ずれが発生すると、その位置ずれ量がカット面３６によって外周摺動面３５の回転軌跡ｂより突出する段差量となって現れず、また、位置ずれ量がカット面３６によって外周摺動面１０の直径の実質増加分となって現れない。
【００２６】
また、前記実施形態では、カバー２５には、コルゲートチューブ２３が延在する方向に突出する２個のガイド３２，３２が形成されている。よって、コルゲートチューブ２３は各ガイド３２と当接することにより曲率が一定値以内に保持される。
【００２７】
さらに、前記実施形態では、カット面３６は、各回転分割部材３３の突き合わせ面３３ｂの直交方向にカットされたフラット面であるので、図７に示すように、その突き合わせ面３３ｂの位置で最もカット量Ｄを大きく設定することができる。これにより、各回転分割部材３３間の突き合わせ面３３ｂに位置ずれが発生した場合には、図８に示すように、各回転分割部材３３の外周摺動面３５では突き合わせ面３３ｂの位置で最も段差量ｄ２及び実質的な増加量ｄ１（＜ｄ２）が大きくなるが、その突き合わせ面３３ｂの位置で最もカット量Ｄが大きいため、大きな位置ずれに対応可能となる。さらい、カット面３６がフラット面であるため、各回転分割部材３３を簡単に製造することができる。
【００２８】
また、前記実施形態では、インナー回転体２２を同一形状の２つの回転分割部材３３，３３から構成したので、１種類の回転分割部材３３を製造すれば良く、インナー回転体２２の組立製造が簡単となり、その分低コスト化が図られる。
【００２９】
尚、インナー回転体２２は、３つ以上の回転分割部材で構成してもよく、コルゲートチューブ２３も断面楕円形の平型のものに限られず、断面円形の筒型のものでも良いことは勿論である。
【００３０】
【発明の効果】
以上説明したように、請求項１の発明によれば、コルゲートチューブからの外力の作用や複数の回転分割部材間のロック部のガタ等の理由により複数の回転分割部材間の各突き合わせ面に位置ずれが発生しても、各回転分割部材の円弧面の端部にカット面がそれぞれ形成されていることから各回転分割部材の突き合わせ面の部分にできる段差が外周摺動面の円周軌跡上より外に突出せず、また、各回転分割部材の円弧面により形成される外周摺動面の直径の実質的な増加分を微小に抑えることができる。従って、回転分割部材間の突き合わせ面に位置ずれが発生してもインナー回転体をスムーズに回転させることができる。
【００３１】
請求項２の発明によれば、カット面を各回転分割部材の突き合わせ面の直交方向にカットされたフラット面としたので、各回転分割部材の突き合わせ面の位置で最もカット量を大きく設定することができ、大きな位置ずれに対応可能させることができる。
【００３２】
請求項３の発明によれば、インナー回転体を同一形状の２つの回転分割部材から構成したので、１種類の回転分割部材を製造することによりインナー回転体を簡単に組み立てることができる。
【図面の簡単な説明】
【図１】本発明の一実施形態を示し、コルゲートチューブ用回転保持具の分解斜視図である。
【図２】本発明の一実施形態を示し、コルゲートチューブ用回転保持具の要部の断面図である。
【図３】本発明の一実施形態を示し、アウター固定体の分解断面図である。
【図４】本発明の一実施形態を示し、インナー回転体の分解正面図である。
【図５】本発明の一実施形態を示し、インナー回転体の分解側面図である。
【図６】本発明の一実施形態を示し、回転分割部材の平面図である。
【図７】本発明の一実施形態を示し、インナー回転体の概略正面図である。
【図８】本発明の一実施形態を示し、２つの回転分割部材間の各突き合わせ面が位置ずれした状態を示す概略拡大部分正面図である。
【図９】従来例を示し、コルゲートチューブ用回転保持具の分解斜視図である。
【図１０】従来例を示し、コルゲートチューブ用回転保持具の断面図である。
【図１１】従来例を示し、アウター固定体の分解断面図である。
【図１２】従来例を示し、インナー回転体の概略正面図である。
【図１３】従来例を示し、２つの回転分割部材間の各突き合わせ面が位置ずれした状態を示す概略正面図である。
【符号の説明】
２０  コルゲートチューブ用回転保持具
２１  アウター固定体
２２  インナー回転体
２３  コルゲートチューブ
２６  インナー摺動面
２７  インナー回転室
３３  回転分割部材
３３ａ  円弧面
３３ｂ  突き合わせ面
３５  外周摺動面
３６  カット面
ｂ  回転軌跡
【図１】
0003741998.tif 000002
【図２】
0003741998.tif 000003
【図３】
0003741998.tif 000004
【図４】
0003741998.tif 000005
【図５】
0003741998.tif 000006
【図６】
0003741998.tif 000007
【図７】
0003741998.tif 000008
【図８】
0003741998.tif 000009
【図９】
0003741998.tif 000010
【図１０】
0003741998.tif 000011
【図１１】
0003741998.tif 000012
【図１２】
0003741998.tif 000013
【図１３】
0003741998.tif 000014